(57)【要約】      （修正有）【課題】コンパクトな設計で高音質を実現し、縦置き、横置きいずれにも対応することが出来る、電気的音声増幅機器を内蔵しないスマートフォン用の縦横兼用アコースティックウェーブ・スピーカーを提供する。【解決手段】スマートフォン本体下部の音源部（Ａ−２）及び、  スマートフォン本体上部の音源部（Ａ−３）から発する音を、スマートフォン本体下部の音源の導音部（Ｂ−１）及び、スマートフォン本体上部の音源の導音部（Ｂ−２）からアコースティックウェーブスピーカー本体に内蔵されている円形の反響板をとおして発生させるバックロードホーン構造と、スマートフォン本体下部の音源部（Ａ−２）及び、スマートフォン本体上部の音源部（Ａ−３）から発する音を  スマートフォン本体（Ａ−１）の裏側から反響して前面に発生させるバッフル構造を併用した独自のラウンド・バックロードホーン構造により、コンパクトで高音質を特徴とする。【選択図】図１
0003213380.tif 000002
【実用新案登録請求の範囲】
【請求項１】
本体は、バックロードホーン構造とバッフル構造を併用した独自のラウンド・バックロードホーン構造により、コンパクトで高音質を特徴とする、電気的音声増幅機器を内蔵しないスマートフォン用の縦横兼用アコースティックウェーブ・スピーカー。
【請求項２】
前記本体のスマートフォン設置面の上部、下部の両方に導音部を形成することにより、ステレオ再生機能のある機種にも対応できる構造を特徴とする、スマートフォン用の縦横兼用アコースティックウェーブ・スピーカー。
【請求項３】
前記本体を、横置き１０°、縦置き６°の傾斜をつけることにより、卓上に設置した場合にも視角にストレスを感じないよう考慮したデザインを特徴とする、スマートフォン用の縦横兼用アコースティックウェーブ・スピーカー。
【考案の詳細な説明】
【技術分野】
【０００１】本考案は、スマートフォンを音源として音を増幅させるために、バックロードホーン方式とバッフル方式を併用した、電気的音声増幅機器を内蔵しない卓上型のスマートフォン用アコースティックウェーブ・スピーカーに関する。
【背景技術】
【０００２】従来のスマートフォン用アコースティックウェーブ・スピーカーは、スマートフォンの音源を増幅させるために、箱型やホーン型のエンクロージャーにスマートフォンを縦に設置する構造で構成されている。【０００３】しかしながら、従来のアコースティックウェーブ・スピーカーでは、音源を増幅させる効果はあっても、高音質で増幅させる性能に欠けており、音質を追及すると、エンクロージャーの形状や大きさを優先せざるを得ないため、デザイン性やコンパクトさに欠ける形状・構造になってしまう。また、縦に設置する構造では音楽と映像が同時に楽しめないという欠点があった。
【先行技術文献】
【特許文献】
【０００４】
【特許文献１】特開２０１６−０９０８９０
【０００５】
【特許文献２】実登３１９５６７６
【考案の概要】
【考案が解決しようとする課題】
【０００６】本考案は、以上のような従来の欠点に鑑み、スマートフォンを横置きにもできる構造にし、高音質でデザイン性に優れた、電気的音声増幅機器を内蔵しないスマートフォン用の縦横兼用アコースティックウェーブ・スピーカーを提供することを目的としている。
【課題を解決するための手段】
【０００７】上記目的を達成するために、本考案は、バックロードホーン構造とバッフル構造を併用した独自のラウンドバックロードホーンでスマートフォン用の縦横兼用アコースティックウェーブ・スピーカーを構成している。ラウンドバックロードホーンとは、スマートフォンの音源部から本体の中空部分に音響通路があり、中空部の中央には円形の反響板によってエンクロージャー内部を音が循環して反響することから、省スペースでバックロードホーン効果を得られる構造になっている。
【考案の効果】
【０００８】以上の説明から明らかなように、本考案にあっては次に列挙する効果が得られる。
（１）  バックロードホーン構造とバッフル構造を併用した独自のラウンドバックロードホーンで構成されているので、コンパクトなエンクロージャーで高音質な音の増幅が可能となり、スマートフォンの縦置き、横置きの両方で効果を得ることができる。【０００９】（２）前記（１）によってスマートフォンでの映像と音声・音楽を同時に、高音質で楽しめることができる。【００１０】（３）請求項２、も前記（１）〜（２）と同様な効果が得られる。
【図面の簡単な説明】
【００１１】
【図１】  本考案を実施するための第１の形態の斜視図と平面図である。
【図２】  本考案を実施するための第２の形態の後面内部構造断面図である。
【図３】  本考案を実施するための第３の形態の縦型に設置した場合の側面の平面図である。
【図４】  本考案を実施するための第４の形態の横型に設置した場合の側面の平面図である。
【考案を実施するための形態】
【００１２】以下、本考案の実施の形態を図に基づいて説明する。
【実施例１】
【００１３】図１は、本考案装置の実施例１の斜視図と平面図であって、横型にスマートフォンを設置した場合の音の流れを説明した図である。
【実施例２】
【００１４】図２は、本考案装置の実施例２の後面内部構造断面図であって、ラウンドバックロードホーンによる音の流れを説明した図である。
【実施例３】
【００１５】図３は、本考案装置の実施例３の側面の平面図であって、縦型にスマートフォンを設置した場合の音の流れを説明した図である。
【実施例４】
【００１６】図４は、本考案装置の実施例４の側面の平面図であって、横型にスマートフォンを設置した場合の音の流れを説明した図である。
【産業上の利用可能性】
【００１７】本考案は、スマートフォン用の縦横兼用アコースティックウェーブ・スピーカーを製造する産業で利用される。
【符号の説明】
【００１８】Ａ−１  スマートフォン本体
Ａ−２  スマートフォン本体下部の音源部
Ａ−３  スマートフォン本体上部の音源部
Ｂ−１  スマートフォン本体下部の音源の導音部
Ｂ−２  スマートフォン本体上部の音源の導音部
Ｂ−３  スマートフォン本体電源接続用の開口
Ｂ−４  アコースティックウェーブスピーカー本体に内蔵されている円形の反響板
Ｃ      反響した音の流れ
【図１】
0003213380.tif 000003
【図２】
0003213380.tif 000004
【図３】
0003213380.tif 000005
【図４】
0003213380.tif 000006
【手続補正書】
【提出日】平成29年4月11日(2017.4.11)
【手続補正１】
【補正対象書類名】実用新案登録請求の範囲
【補正対象項目名】全文
【補正方法】変更
【補正の内容】
【実用新案登録請求の範囲】
【請求項１】
［図３］Ａ−２  スマートフォン本体下部の音源部及び、Ａ−３  スマートフォン本体上部の音源部から発する音を、Ｂ−１  スマートフォン本体下部の音源の導音部及び、Ｂ−２  スマートフォン本体上部の音源の導音部からＢ−４  アコースティックウェーブスピーカー本体に内蔵されている円形の反響板をとおして発生させるバックロードホーン構造と、Ａ−２  スマートフォン本体下部の音源部及び、Ａ−３  スマートフォン本体上部の音源部から発する音をＡ−１  スマートフォン本体の裏側から反響して前面に発生させるバッフル構造を併用した独自のラウンド・バックロードホーン構造により、コンパクトで高音質を特徴とする、電気的音声増幅機器を内蔵しないスマートフォン用の縦横兼用アコースティックウェーブ・スピーカー。
【請求項２】
スマートフォン設置面の上部、下部の両方に導音部を形成することにより、ステレオ再生機能のある機種にも対応できる構造を特徴とする、請求項１に記載のスマートフォン用の縦横兼用アコースティックウェーブ・スピーカー。
【請求項３】
横置き１０°、縦置き６°の傾斜をつけることにより、卓上に設置した場合にも視角にストレスを感じないよう考慮したデザインを特徴とする、請求項１又は２に記載のスマートフォン用の縦横兼用アコースティックウェーブ・スピーカー。
【手続補正書】
【提出日】平成29年8月9日(2017.8.9)
【手続補正１】
【補正対象書類名】実用新案登録請求の範囲
【補正対象項目名】請求項１
【補正方法】変更
【補正の内容】
【請求項１】
スマートフォン本体下部の音源部（Ａ−２）及び、  スマートフォン本体上部の音源部（Ａ−３）から発する音を、スマートフォン本体下部の音源の導音部（Ｂ−１）及び、スマートフォン本体上部の音源の導音部（Ｂ−２）からアコースティックウェーブスピーカー本体に内蔵されている円形の反響板（Ｂ−４）をとおして発生させるバックロードホーン構造と、スマートフォン本体下部の音源部（Ａ−２）及び、スマートフォン本体上部の音源部（Ａ−３）から発する音を  スマートフォン本体（Ａ−１）の裏側から反響して前面に発生させるバッフル構造を併用した独自のラウンド・バックロードホーン構造により、コンパクトで高音質を特徴とする、電気的音声増幅機器を内蔵しないスマートフォン用の縦横兼用アコースティックウェーブ・スピーカー。